(57)【特許請求の範囲】
【請求項１】
空気調和機の運転操作設定を入力するための設定画面を表示する表示部と、
前記運転操作設定の設定項目を表示させるためのメニューキーと、
前記設定画面上に表示させたカーソルを移動させるためのカーソルキーと、
前記カーソルキーで指示された前記設定項目を選択するための決定キーとを備えた空気調和機のリモートコントローラにおいて、
前記設定画面は、前記カーソルキーと前記決定キーによって前記設定項目を選択するための選択画面と同選択画面で選択された前記設定項目の調整を行なうための設定調整画面とからなり、
前記設定調整画面は前記リモートコントローラに設けられた遷移キーを押下することにより異なる設定調整画面に遷移するとともに、前記遷移キーを押下したときに遷移する前記異なる設定調整画面の前記設定項目を表示することを特徴とする空気調和機のリモートコントローラ。
【発明の詳細な説明】
【技術分野】
【０００１】
本発明は、空気調和機の運転に係わる操作を行うための空気調和機のリモートコントローラに関する。
【背景技術】
【０００２】
従来の空気調和機のリモートコントローラには、空気調和機に搭載されている運転モード（冷房、暖房、除湿）切換え、温度設定、風量設定、タイマ設定、運転／停止等を行うための各キーと、運転モード、設定温度、風向設定等を表示するための液晶表示部を備えているものがある。
【０００３】
更に、空気調和機の機能は、１週間の運転スケジュールが設定できるなど高機能化が進んでいる。従って、従来のリモートコントローラは、これら機能が増える毎にキーが増加する傾向があり、キー数が増えるにしたがい、限られたリモートコントローラの大きさによっては、キーが配置できなかったり、または、キーの大きさを小さくせざるをえなかったりして操作性が悪くなったり、操作が複雑になるという問題が生じる。また、従来の液晶表示部は、表示内容が固定されているので、表示内容が限定され、複雑な機能設定に対応しにくく、機種毎に液晶表示部の設計を変更しなければならなかった。
【０００４】
上記課題を解決するために特許文献１では、液晶表示部にドットマトリクス表示方式の液晶パネルを用い、画面表示が自由に行えるようにすることで、設定項目を選択するためのメニュー画面と、選択された設定項目の設定画面とを階層式に表示するリモートコントローラが提案されている。このリモートコントローラは、画面表示した設定項目を選択するためのカーソルを移動させるカーソル（十字）キーと、選択した設定項目を選択するための決定キーと、前画面に戻るためのキャンセルキーとを備え、キー数を増やさないで操作性を良くするものである。
【先行技術文献】
【特許文献】
【０００５】
【特許文献１】特開２００８−１９６７８２号公報
【発明の概要】
【発明が解決しようとする課題】
【０００６】
しかし、特許文献１に記載のリモートコントローラによれば、設定画面で表示された項目の設定が完了し、次の設定項目に移る場合、一旦、上位のメニュー画面に戻ってから設定項目を選択しなければならず、操作が面倒な面があった。特に、複数の部屋に一台ずつ設置されている室内機を集中して制御できるリモートコントローラの場合、例えば、部屋毎の運転モード、温度を設定する時、特許文献１のような操作方法では、いちいち上位の階層に戻って設定する部屋を選択して、運転モード、温度を設定することとなり、操作が面倒であった。
本発明は上記のような問題を解消し、更に操作性を良くしたリモートコントローラを提供することを目的とする。
【課題を解決するための手段】
【０００７】
上記課題を解決するために空気調和機の運転操作設定を入力するための設定画面を表示する表示部と、前記運転操作設定の設定項目を表示させるためのメニューキーと、前記設定画面上に表示させたカーソルを移動させるためのカーソルキーと、前記カーソルキーで指示された前記設定項目を選択するための決定キーとを備えた空気調和機のリモートコントローラにおいて、前記設定画面は、前記カーソルキーと前記決定キーによって前記設定項目を選択するための選択画面と同選択画面で選択された前記設定項目の調整を行なうための設定調整画面とからなり、前記設定調整画面は前記リモートコントローラに設けられた遷移キーを押下することにより異なる設定調整画面に遷移するとともに、前記遷移キーを押下したときに遷移する前記異なる設定調整画面の前記設定項目を表示することを特徴とする空気調和機のリモートコントローラである。
【発明の効果】
【０００８】
請求項１の発明によれば、空気調和機のリモートコントローラにおいて、空気調和機の運転操作設定を入力するための設定画面で、カーソルキーと決定キーによって設定項目を選択するための選択画面と同選択画面で選択された前記設定項目の調整を行なうための設定調整画面とからなり、前記設定調整画面は前記リモートコントローラに設けられた遷移キーを押下することにより異なる設定調整画面に遷移するとともに、前記遷移キーを押下したときに遷移する前記異なる設定調整画面の設定項目を表示することで、設定調整を行っていた画面から他の設定調整画面に切り替えるのに遷移キーで１回の操作で済む。また、遷移キーを押下することによって切り替わる異なる設定調整画面の設定項目を表示するので、使用者にとって操作性が向上する。
【図面の簡単な説明】
【０００９】
【図１】本発明に係る空気調和機の概略図の一例である。
【図２】本発明の実施の一形態に係る空気調和機のリモートコントローラの外観図である。
【図３】空気調和機のリモートコントローラのブロック構成図である。
【図４】リモートコントローラの表示画面の画面遷移図である。
【図５】空気調和機の運転状況を表示している画面を示す図である。
【図６】設定メニューの表示画面を示す図である。
【図７（ａ）】運転設定の初期画面におけるルーム選択画面を示す図である。
【図７（ｂ）】運転設定の初期画面におけるルーム選択画面でカーソル移動を示す図である。
【図８】運転設定１の項目と記憶された設定値を表示している画面を示す図である。
【図９（ａ）】運転設定１の運転モードを切り替えるための説明画面を示す図である。
【図９（ｂ）】運転設定１の運転モードを切り替えた画面を示す図である。
【図１０（ａ）】送りキーが押下された場合の説明画面を示す図である。
【図１０（ｂ）】送りキーが押下された場合の説明画面を示す図である。
【図１１（ａ）】スケジュールタイマ設定の初期画面におけるルーム選択画面を示す図である。
【図１１（ｂ）】スケジュールタイマ設定の初期画面におけるルーム選択画面でカーソル移動を示す図である。
【図１２（ａ）】スケジュールタイマ設定の曜日選択の説明画面を示す図である。
【図１２（ｂ）】スケジュールタイマ設定の曜日選択の説明画面を示す図である。
【図１２（ｃ）】スケジュールタイマ設定の曜日選択の説明画面を示す図である。
【図１３（ａ）】スケジュールタイマ設定の時刻設定の説明画面を示す図である。
【図１３（ｂ）】スケジュールタイマ設定の時刻設定の説明画面を示す図である。
【図１３（ｃ）】スケジュールタイマ設定の時刻設定部を拡大した図である。
【図１３（ｄ）】スケジュールタイマ設定の時刻設定部を拡大した図である。
【図１４】スケジュールタイマ設定時における送りキーが押下された場合の説明画面を示す図である。
【図１５】機能設定の初期画面を示す図である。
【図１６（ａ）】機能設定の室外機静音モードにカーソルを移動した画面を示す図である。
【図１６（ｂ）】機能設定の室外機静音モードを選択する説明画面を示す図である。
【図１７】休日設定の設定画面を示す図である。
【符号の説明】
【００１０】
１ リモートコントローラ
２ 表示部
３ 操作キー部
４ 運転／停止キー
５ メニューキー
６ カーソルキー
６ｕ 上方キー
６ｄ 下方キー
６ｌ 左方キー
６ｒ 右方キー
７ 決定キー
８ 取消キー
９ 送りキー
１０ 戻りキー
１１ 制御部
１４ 記憶部
１５ 通信部
１６ タイマクロック
５０ 空気調和機
５１ 室内機
５２ 室外機
５３ 通信線
【発明を実施するための形態】
【００１１】
空気調和機の運転操作設定を入力するための設定画面を表示する表示部と、前記運転操作設定の設定項目を表示させるためのメニューキーと、前記設定画面上に表示させたカーソルを移動させるためのカーソルキーと、前記カーソルキーで指示された前記設定項目を選択するための決定キーとを備えた空気調和機のリモートコントローラにおいて、前記設定画面は、前記カーソルキーと前記決定キーによって前記設定項目を選択するための選択画面と同選択画面で選択された前記設定項目の調整を行なうための設定調整画面とからなり、前記設定調整画面は前記リモートコントローラに設けられた遷移キーを押下することにより異なる設定調整画面に遷移するとともに、前記遷移キーを押下したときに遷移する前記異なる設定調整画面の前記設定項目を表示することを特徴とする空気調和機のリモートコントローラである。
以下、詳細に説明を行う。
【実施例】
【００１２】
本発明の実施の形態を図面に基づいて説明する。
図１に示すのは、本発明のリモートコントローラに使用される空気調和機の一例の概略図である。空気調和機５０は、各部屋に設置された室内機５１と、各室内機に冷媒配管、通信線を介して接続された室外機５２を備えていて、通信線５３を介して各室内機５１または室外機の運転モード、設定温度などを設定するリモートコントローラ１が接続されている。また、各部屋には、その部屋の使用者が使用するために、運転／停止、運転モード、温度設定など必要最小限の機能を設定する簡易リモートコントローラ（図示なし）が設置してある。
なお、図１では、各部屋に室内機を設置した例として、室内機の名称をルーム名にしているが、広いフロアに複数の室内機を設置した場合も同じである。この場合、室内機の名称をルーム名でなく、１号機、２号機などと呼ぶようにする。
【００１３】
図２に示すのは、本発明に係るリモートコントローラ１の外観図である。リモートコントローラ１には、空気調和機の運転状態の表示、または運転のための設定項目の設定を行うための設定画面などを表示するドットマトリックス表示方式による液晶パネルを使用した表示部２と、設定項目の設定などリモートコントローラを操作するための操作キー部３が配置されている。
【００１４】
操作キー部３には、空気調和機を運転または停止させるための運転／停止キー４、設定を行うための設定メニューを表示させるメニューキー５、表示部２に表示された設定項目上にカーソルを移動させるための上方キー（６ｕ）、下方キー（６ｄ）、左方キー（６ｌ）および右方キー（６ｒ）の４個のカーソルキー６、カーソルが位置する設定項目を選択する決定キー７、決定キーで選択した項目を取消して選択前の画面にもどる取消キー８、各設定項目の設定調整画面を他の設定項目の設定調整画面に遷移させるための遷移キーの送りキー９と戻りキー１０が配置されている。
なお、上方キー（６ｕ）および下方キー（６ｄ）のカーソルキーは、画面中のカーソルの上下移動操作を行う他に、温度、運転モードなどの設定を変更する際にも使用するようになっている。これによって、操作キーの数を必要最低限の数に抑えるようにしている。
【００１５】
図３は、リモートコントローラの機能ブロック図である。リモートコントローラ１は、制御部１１、表示部２、操作キー部３、記憶部１４、通信部１５、タイマクロック１６で構成されている。
【００１６】
通信部１５は、上述した通信線５３を介して各室内機５１と接続されており、操作キー部３から入力された運転のための設定項目の設定情報を送信、または、各室内機５１の運転状態のデータを受信するなど室内機とのデータのやり取りを行う。
【００１７】
表示部２は、ドットマトリックス表示方式の液晶表示部であって、各操作キーを介して入力されたデータ、もしくは、通信部１５が通信によって室内機５１から受信するデータ等に基づいて、制御部１１がデータ処理した表示データを表示する。
【００１８】
操作キー部３は、前述した図２で説明した操作キーが配置され、各キーから入力されたデータが制御部１１によって処理される。
【００１９】
記憶部１４は、表示部に表示するデータと各室内機の運転に関する設定値などを記憶する。
【００２０】
タイマクロック１６は、時刻設定など時間管理に使用するためのクロックである。
【００２１】
図４は以下で説明する表示画面の遷移図である。
通常の表示画面は、後述する運転モード画面が表示されていて、メニューキー５が押下されると後述する階層１の設定メニュー画面が表示される。設定メニュー画面で設定項目が選択されると後述する階層２の各項目の設定画面となる。さらに階層２の設定画面で詳細を選択すると点線で囲ってある後述する階層３が表示される。
【００２２】
本発明は、階層２、または、階層３において、送りキー９、戻りキー１０の遷移キーを用いて、一回の操作で同階層内の別の項目の設定画面に切り替えることができる。従来は、上位の階層に戻って、改めて別の項目を選択しなければならなかったので、使用者にとって操作性が向上するものである。
【００２３】
図５から図１６は、キー操作部３よって表示部２に表示される画面を示す図で、以下、図を用いて説明する。
図５は、通常の表示画面で各室内機の運転状況を表示している。画面上部２１には、現在表示している画面の表示モードを示す「運転状況」と、「時刻」が表示されている。図５では、「ルーム６」以外「冷房」モードで運転していることを示している。「省エネ」は、省エネ運転モード、「静音」は、室外機静音モード、「スケジュール」は、スケジュールタイマが設定されていることを表している。
【００２４】
図６は、図５の画面表示中において、リモートコントローラ１のメニューキー５が押下された時の設定メニューの表示画面であって、図４における階層１に相当する。メニュー表示された設定項目は、「運転設定」、「機能設定」、「スケジュール」である。さらに、表示領域によって表示できない別の設定項目があれば、再度メニューキーを押下、表示させるようにすれば良い。
また、図６では、運転状況画面と一緒にメニュー表示しているが、設定メニュー表示のみの画面にしても良い。
図６のカーソルの位置は、四角い枠で囲まれている「運転設定」の位置にある。四角い枠のカーソルは一例で、色を変えたり、白黒反転させて抜き文字にしたりしても良い。
【００２５】
図６の表示画面で、カーソルキーの右方キー６ｒが押下されると「機能設定」にカーソルが移動する（図示なし）。図６の画面において、決定キー７が押下されると「運転設定」が選択されて図４における階層２に相当する図７（ａ）の「運転設定」の初期画面に替わる。以下、「運転設定」についての詳細説明をする。
【００２６】
図７（ａ）は、運転設定を行いたいルーム（室内機）を選択する選択画面となっていて、ルーム毎の運転状態（運転／停止）が表示される。また、画面下部２２には、送りキー９の押下により遷移する「機能設定」と、戻りキー１０の押下により遷移する「スケジュールタイマ」の設定画面へ切り替えられることが表示される。図７（ａ）におけるカーソルの位置は「全室」にあり、カーソルキーの右方キー６ｒを表す印が表示される。「全室」が選択されると、設定項目が全室同時に同じ条件で設定でき、ルーム毎に個別に設定しなくても済む。カーソルキーの右方キー６ｒが押下されるとカーソルは図７（ｂ）のように「ルーム１」に移動する。それに伴い、カーソルを移動できる方向の下方キー６ｄ・右方キー６ｒ・左方キー６ｌを表す印が表示される。
【００２７】
図７（ｂ）の表示画面で、決定キー７が押下されると図８で示すように階層３としてのルーム１の「運転設定１」の画面に切り替わる。カーソルの位置は、「運転／停止」設定項目にあり、カーソルキーの上方キー６ｕ・下方キー６ｄを表す印が表示され、カーソルキー６ｕ,６ｄどちらかが押下されると「運転」から「停止」に替わる（図示なし）。
画面下部２２には、送りキー９を押下すると「運転設定２」にある設定項目の「風量／省エネ」の設定画面へ切り替わることが表示される。
カーソルキーの右方キー６ｒが押下されるとカーソルは図９（ａ）のように「運転モード」に移動する。
【００２８】
「運転モード」は、「冷房」、「除湿」、「送風」、「暖房」の４つのモードがあり、カーソルキーの上方キー６ｕが押下されると「冷房」、「除湿」、「送風」、「暖房」、「冷房」の順に運転モードが切り替わる。カーソルキーの下方キー６ｄが押下されると、上方キーの順番と逆に「冷房」、「暖房」、「送風」、「除湿」、「冷房」の順に切り替わる。図９（ｂ）は、「除湿」モードに切り替わった時の画面を示す。
【００２９】
図９（ｂ）の状態で送りキー９が押下されると図１０（ａ）で示すように「運転設定２」の運転設定画面に切り替わる。カーソルにある「風量」は、「自動」のほかに「弱」「中」「強」があり、カーソルキーの上方キー６ｕが押下されると「自動」、「強」、「中」、「弱」、「自動」の順に運転モードが切り替わる。カーソルキーの下方キー６ｄが押下されると、上方キーの順番と逆の順に切り替わる。
【００３０】
図１０（ａ）で示す画面下部２２には、送りキー９を押下すると「ルーム２」の「運転設定１」に、戻りキー１０を押下すると「運転設定１」にある設定項目「運転／モード／温度」の設定画面へそれぞれ切り替わることが表示される。送りキーが押下されると図１０（ｂ）で示すようにルーム２の「運転設定１」の画面に切り替わる。図１０（ｂ）の状態で、戻りキー１０が押下されると図８で示すようにルーム１の「運転設定１」の画面に切り替わる。
決定キー７が押下されると設定条件のデータを対象ルームの室内機５１に送信する。
上位の階層画面である図７（ａ）に戻るには、取消キー８を押下する。
【００３１】
次に「スケジュール」即ち「スケジュールタイマ設定」について説明する。
「スケジュールタイマ設定」は、室内機の運転時間を曜日別にタイマ設定できる機能である。
図６の設定メニュー表示画面で、カーソルキーの右方キー６ｒでカーソルを「スケジュール」に移動させて決定キーで選択すると、階層２に相当する図１１（ａ）で示す「スケジュールタイマ設定」画面に切り替わる。
【００３２】
図１１（ａ）は、各ルームの室内機５１のスケジュールタイマを設定するためのルーム選択画面となっていて、ルーム毎の「スケジュールタイマ」が設定、または未設定かが表示される。また、画面下部２２には、送りキー９を押下すると「運転設定」に、戻りキー１０を押下すると「機能設定」の設定画面へそれぞれ切り替えられることが表示される。図１１（ａ）におけるカーソルの位置は「全室」にあり、カーソルキーの右方キー６ｒが押下されるとカーソルは図１１（ｂ）のように「ルーム１」に移動する。
【００３３】
図１１（ｂ）の表示画面で、決定キーが押下されると図１２（ａ）で示すように階層３としてのルーム１の「スケジュールタイマ設定」の設定画面に切り替わる。カーソルの位置は、「無効」２３の項目にある（図では他の枠より太枠になっている）。「無効」は、「スケジュールタイマ」の機能を無効とし、「有効」にするにはカーソルキーの上方キー６ｕまたは下方キー６ｄが押されると「有効」に換わり、さらに上下キー６ｕ、６ｄが押下されると「無効」に切り替わる（図示なし）。
画面下部２２には、送りキー９を押下すると図１４で示す「ルーム２」の設定画面へ切り替わることが表示される。
【００３４】
図１２（ｂ）は、上記の操作で「スケジュールタイマ」の設定を「有効」とし、カーソルキーの右方キー６ｒが押下されるとカーソルが月曜日を表す「月」の位置に移動した時の表示画面である。図１２（ｂ）において決定キー７が押下されると月曜日を選択した図１２（ｃ）の画面となる。画面では１日４回の運転の設定時間が設定できるようになっている。
【００３５】
図１２（ｃ）でカーソルキーの右方キー６ｒが押下されると入り時間の設定に移る。
図１３（ａ）のカーソル内の「８」は、図１３（ｃ）で示すようにカーソルの上方キ−６ｕ、下方キー６ｄで数値がアップダウンさせることができる。「時」の設定が終了した後、カーソルキーの右方キー６ｒを押下すと、図１３（ｄ）に示すように「分」の設定に入いる。「分」の設定は、「時」の設定と同様にカーソルの上方キ−６ｕ、下方キー６ｄで数値をアップダウンさせて設定する。設定終了後、カーソルキーの右方キー６ｒを押下すと、温度設定に入り、カーソルの上方キ−６ｕ、下方キー６ｄで温度数値が設定できる。
【００３６】
図１３（ｂ）は、上記項目番号１の設定が完了し決定キー７が押下されたときの画面である。なお、カーソルキーの左方キー６ｌを押下してカーソルを移動させてもよい。項目番号１の他にさらにタイマ設定が必要な場合、カーソルキーの下方キー６ｄが押下されると項目番号２に移動し、項目番号１と同様に設定を行う（図示なし）。カーソルが項目番号の位置にある状態で決定キー７が押下されるとカーソルは「月」の位置に戻り、他の曜日が選択できるようになる。さらに、上位の階層画面である図１１（ａ）に戻るには、取消キー８が押下されるとなる。
なお、スケジュールタイマが設定された場合、リモートコントローラ１は、対象ルームの室内機５１の運転開始時刻または停止時刻になった時に運転または停止のデータを送信して運転制御を行う。
【００３７】
次に「機能設定」について説明する。
図６のメニュー選択表示画面で、カーソルキーの右方キー６ｒでカーソルを「機能設定」に移動させて決定キー７で選択すると、図１５で示す階層２としての「機能設定」画面に切り替わる。
「機能設定」には、「全室省エネモード」、「室外機静音モード」、「休日設定」の設定項目がある。
「全室省エネモード」は、冷房時または暖房時における温度設定を事前に行って、必要以上に冷やしたり暖めたりしないように全室一斉に「省エネモード」を有効にするものである。「室外機静音モード」は、室外機５２の圧縮機などの運転を制御して運転音を抑えるようにする。「休日設定」は、空気調和機５０を事務所などで使用する場合、休日には運転させないように設定するものである。
また、画面下部２２には、送りキー９を押下すると「スケジュール」に、戻りキー１０を押下すると「機能設定」の設定画面へそれぞれ切り替えられることが表示される。
【００３８】
図１５でカーソルキーの下方キー６ｄが押下されると図１６（ａ）に示すようにカーソルは「室外機静音モード」に移動し、そこで決定キー７が押下されると図１６（ｂ）で示す階層３としての「室外機静音モード」設定画面に切り替わる。画面下部２２には、送りキー９を押下すると「休日」の設定画面へ切り替えられることが表示される。
【００３９】
「室外機静音モード」は、特に夜間における運転音を制御するためにタイマ設定できる設定モードで、その設定方法は上述した「スケジュールタイマ」の設定と同様である。
【００４０】
図１６（ｂ）の画面において、送りキー９が押下されると図１７で示す「休日設定」の画面に切り替わる。即ち決定キー７、または、取消キー８を押下して図１６（ａ）で示す上位の階層の画面に戻って「休日設定」を選択しなくて済む。
【００４１】
図１７の「休日設定」は、カーソルにある曜日においてカーソルキーの上方キー６ｕ，または下方キー６ｄが押下されると「休」と空白が切り替わるようになっている。
【００４２】
以上のように、設定調整画面で表示された項目の設定が完了し、次の設定項目に移る場合、従来は、一旦上位の設定メニュー画面に戻ってから設定項目を選択しなければならず、操作が面倒であったが、本発明は、送りキーと戻りキーの専用のキーで、次の設定項目に移れ、また、送りキーまたは戻りキーによって選択される設定項目を画面上に表示することで操作性を良くした。
【図１】
0005348091.tif 000002
【図２】
0005348091.tif 000003
【図３】
0005348091.tif 000004
【図４】
0005348091.tif 000005
【図５】
0005348091.tif 000006
【図６】
0005348091.tif 000007
【図７（ａ）】
0005348091.tif 000008
【図７（ｂ）】
0005348091.tif 000009
【図８】
0005348091.tif 000010
【図９（ａ）】
0005348091.tif 000011
【図９（ｂ）】
0005348091.tif 000012
【図１０（ａ）】
0005348091.tif 000013
【図１０（ｂ）】
0005348091.tif 000014
【図１１（ａ）】
0005348091.tif 000015
【図１１（ｂ）】
0005348091.tif 000016
【図１２（ａ）】
0005348091.tif 000017
【図１２（ｂ）】
0005348091.tif 000018
【図１２（ｃ）】
0005348091.tif 000019
【図１３（ａ）】
0005348091.tif 000020
【図１３（ｂ）】
0005348091.tif 000021
【図１３（ｃ）】
0005348091.tif 000022
【図１３（ｄ）】
0005348091.tif 000023
【図１４】
0005348091.tif 000024
【図１５】
0005348091.tif 000025
【図１６（ａ）】
0005348091.tif 000026
【図１６（ｂ）】
0005348091.tif 000027
【図１７】
0005348091.tif 000028